(57)【要約】　　　（修正有）【課題】導入流通風量、効率を増し、並びに騒音を下げることを主要な目的とした，ダブル吸入遠心式コンピュータ用冷却ファンの提供。【解決手段】ベース、冷却ファン及びカバーで組成され、ベースの中央に収容溝が設けられて冷却ファンが挿入され、ベースの一側辺が出風口とされ、冷却ファンに二列の羽根が設けられ、羽根の断面がいずれもＳ円弧形導流曲線を呈して風の流動を順調とし、且つ外羽根の数量が内羽根より多く、内羽根と一部の外羽根が直接滑らかに連接され、全ての外羽根の底部が一つの円形リングに固定されている。動作時に、風をコンピュータ用ファンから導出して滞留区を発生させず、風量の導流速度を滑らかに快速とする。【選択図】　　　　図４
0003096854.tif 000002
【実用新案登録請求の範囲】
【請求項１】
ベース、冷却ファン及びカバーで組成され、該ベースの中央に収容溝が設けられて冷却ファンが挿入され、ベースの一側辺が出風口とされたダブル吸入遠心式コンピュータ用冷却ファンにおいて、
冷却ファンに二列の羽根が設けられ、該羽根の断面がいずれもＳ形の円弧形導流曲線を呈して風の流動を順調とし、且つ外羽根の数量が内羽根より多く、内羽根と一部の外羽根が直接滑らかに連接され、全ての外羽根の底部が一つの円形リングに固定され、強固で、羽根が導流機能を具備し、二辺より吸入する気流が隔板の阻止を受けず、高流量、高効率で、低騒音であることを特徴とする、ダブル吸入遠心式コンピュータ用冷却ファン。
【請求項２】
請求項１に記載のダブル吸入遠心式コンピュータ用冷却ファンにおいて、内羽根と外羽根の曲面円弧方向が同方向の設計とされたことを特徴とする、ダブル吸入遠心式コンピュータ用冷却ファン。
【考案の詳細な説明】
【０００１】
【考案の属する技術分野】
本考案は一種のダブル吸入遠心式コンピュータ用冷却ファンに係り、特に、コンピュータのＣＰＵの冷却装置として使用され、二列式の曲面円弧を具えた羽根の設計により、ファンの導風量を増加し、コンピュータの冷却効果を高めたダブル吸入遠心式コンピュータ用冷却ファンに関する。
【０００２】
【従来の技術】
コンピュータは現代人にとって必要不可欠の電子情報製品であり、一人に一台の時代になりつつある。コンピュータの運転は全てＣＰＵによる実行に依存しており、運転実行時には高温が発生し、高温が発生する時、冷却を行わなければコンピュータの運転に不安定な状況が発生する。ゆえに、一般にはＣＰＵに冷却装置（ファン）を取り付けて、発生する高温を冷却している。このためファン中の羽根の設計はコンピュータＣＰＵの実行安定度と関係がある。ヒートシンクの設計方面では、いかにＣＰＵの発生する高温に対して、ファンの運転下で良好に冷却できるようにするかが、コンピュータの使用及び操作時の相当に重要な課題である。
【０００３】
一般にコンピュータ用ファンの多くは片面吸入式のファン設計とされ（図１参照）、しかし冷却の効果を高めるため、風量を増したダブル吸入式のコンピュータ用ファンの設計が提供され、それは図２、３に示されるようであり（特許文献１参照。）、遠心式ファンとされ、少なくとも、第１入気口、第２入気口、少なくとも一つの排気口及び第２入気口中に位置する複数のリブを具えた外フレームと、外フレーム中に位置する回転装置と、羽根構造とされ、該回転装置に結合されたハブと、該ハブの径方向に沿って外向きに遠心されて上表面と下表面を具えた隔板と、該隔板の上表面に形成されて該ハブとの間に間隙を具え、並びに切欠きが設けられた複数の第１羽根と、該隔板の下表面に形成されて該ハブとの間に間隙を有する第２羽根とを具え、該羽根構造が該リブを通過する時、該第２羽根と該リブの交角が約９０度とされる、上記羽根構造と、を具えている。
【０００４】
このようなダブル吸入遠心式コンピュータ用冷却ファンは以下のような欠点を有している。
１．上下の入気口より導入される気流量が異なり、気圧が不平均で、ファン中間に設けられた隔板がファンの運転時に振動、ぐらつき及び騒音を発生する。
２．ファン中間に隔板が設けられ、導入される流体が隔板の阻止により摩擦と乱流の現象を発生し、上層と下層の流体が羽根の遠心加圧により押し出される時、出風口部分で流体の逆流現象を発生する。
３．羽根の中央のサポートフレームが直線状とされ、流線円弧設計がなく、このため流体に対する導流性が不良で、ファンの効率も必然的に不良となる。
【０００５】
【特許文献１】
台湾実用新案公告第４６５６８１号明細書
【０００６】
【考案が解決しようとする課題】
本考案の主要な目的は、従来のダブル吸入遠心式コンピュータ用冷却ファンの欠点を解決し、欠点の存在を無くすことにあり、則ち、本考案は、コンピュータ用冷却ファンの導入流通風量、効率を増し、並びに騒音を下げることを主要な目的としている。
【０００７】
【課題を解決するための手段】
請求項１の考案は、ベース、冷却ファン及びカバーで組成され、該ベースの中央に収容溝が設けられて冷却ファンが挿入され、ベースの一側辺が出風口とされたダブル吸入遠心式コンピュータ用冷却ファンにおいて、
冷却ファンに二列の羽根が設けられ、該羽根の断面がいずれもＳ形の円弧形導流曲線を呈して風の流動を順調とし、且つ外羽根の数量が内羽根より多く、内羽根と一部の外羽根が直接滑らかに連接され、全ての外羽根の底部が一つの円形リングに固定され、強固で、羽根が導流機能を具備し、二辺より吸入する気流が隔板の阻止を受けず、高流量、高効率で、低騒音であることを特徴とする、ダブル吸入遠心式コンピュータ用冷却ファンとしている。
請求項２の考案は、請求項１に記載のダブル吸入遠心式コンピュータ用冷却ファンにおいて、内羽根と外羽根の曲面円弧方向が同方向の設計とされたことを特徴とする、ダブル吸入遠心式コンピュータ用冷却ファンとしている。
【０００８】
【考案の実施の形態】
本考案のダブル吸入遠心式コンピュータ用冷却ファンは、ベース、冷却ファン及びカバーで組成され、該ベースの中央に収容溝が設けられて冷却ファンが挿入され、ベースの一側辺が出風口とされ、該冷却ファンに二列の羽根が設けられ、該羽根の断面がいずれもＳ円弧形導流曲線を呈して風の流動を順調とし、且つ外羽根の数量が内羽根より多く、内羽根と一部の外羽根が直接滑らかに連接され、全ての外羽根の底部が一つの円形リングに固定されている。動作時に、風をコンピュータ用ファンから導出して滞留区を発生させず、風量の導流速度を滑らかに快速とする。本発明の構造は強固であり、羽根が導流作用を有し、二辺の吸入する気流が隔板による阻止を受けず、高流量で高効率で騒音が少ない効果を有する。
【０００９】
【実施例】
図４は本考案のコンピュータ用ファンの分解斜視図である。本考案は一種のダブル吸入遠心式コンピュータ用冷却ファンを提供し、このコンピュータ用ファン１は、ベース１０、冷却ファン１１及びカバー１２を具えている。
【００１０】
該ベース１０の中央には収容溝１３が設けられ、冷却ファン１１が該収容溝１３に設置され、ベース１０の一側辺が出風口１４とされている。
【００１１】
該冷却ファン１１に内羽根１５と外羽根１６の二列の羽根設計が設けられ、この羽根の断面がいずれもＳ円弧形導流曲線を呈して風の流動を順調とし、且つ内羽根１５と外羽根１６の曲面円弧方向が相互に反対に弯曲する設計とされている。外羽根１６の数量は内羽根１５より多く、内羽根１５と一部の外羽根１６が直接滑らかに連接され、この羽根がＳ形状の設計とされ（図５参照）、全ての外羽根１６の底部が一つの円形リング１８の上部に固定されている。
【００１２】
該カバー１２の中央に吸風口１７が設けられ、風がここより冷却ファン１１に導入され、さらにベース１０の出風口１４より導出され、該カバー１２はベース１０に螺子止めされる。
【００１３】
図６も参照されたい。本考案のコンピュータ用ファンの冷却ファン１１がベース１０の収容溝１３内に設置される時、カバー１２がベース１０の上縁に螺子止めされて、コンピュータ用ファンの組立が完成する。冷却ファン１１が運転する時、冷却ファン１１の回転により風が吸風口１７より吸入され、並びに内羽根１５により外羽根１６へと導流され、これにより滑らかに風がベース１０の出風口１４へと導出される。この運転作動時に、本考案の羽根が二列式の設計とされ、二列の羽根が同一方向に設置されているため、該内羽根１５と外羽根１６の設置の高度空間が影響を受けず、ゆえにその導入する風量は周知の構造の上下二層設計のコンピュータ用ファンに較べて高くなる。
【００１４】
続いて、図７に示される実施例では、冷却ファン１１の内羽根１５と外羽根１６の断面がいずれも円弧形曲線を呈するほか、内羽根１５と外羽根１６の曲面円弧方向が同じ方向とされ、且つ外羽根１６の数量が内羽根１５より多く設けられ、内羽根１５の集めた流体が多数量の外羽根１６により順方向に導出され、良好な導風効果を達成する。
【００１５】
また、図８に示される実施例では、冷却ファン１１に内羽根１５と外羽根１６の二列の羽根設計が設けられ、外羽根１６が円形リング１８の情報に対応設置され、該円形リング１８の厚さがこれに対応して縮減され、これにより下方の吸風口１７の口径が増されて導風効果が高められている。
【００１６】
【考案の効果】
総合すると、本考案は以下の長所を有している。
１．本考案のダブル吸入遠心式コンピュータ用冷却ファンは、羽根の断面が円弧形の導流曲線を呈し、風の流通を順調とし、この曲線がＳ形曲線或いは円弧曲線とされる。内羽根が一部の外羽根と直接滑らかに連接されて、導風効果が高められ、冷却の風を集中させることができる。
２．本考案のダブル吸入遠心式コンピュータ用冷却ファンは、内羽根、外羽根が底部で固定され、周知の技術のように隔板が中間に設けられるために上下の入気口が導入する気流量が異なり、気圧が平均せず、ファン運転時に振動、ぐらつき及び騒音が発生するということがない。且つ周知のファンの中間には隔板が設けられ、導入する流体が隔板の阻止を受けるために摩擦及び乱流の現象が発生し、上層、下層の流体が羽根の遠心加圧により押し出される時、出風口部分で流体の逆流現象を発生した。
【００１７】
以上から、本考案の構造、特徴は確実に使用効果が極めて良好で且つ実用性を具備していることがわかり、並びに実用価値と進歩性を有し、全体の組合せと空間形態については従来の同類の製品にはなく、また公開されておらず、実用新案登録の要件を具備している。なお、以上の実施例は本考案の実施範囲を限定するものではなく、本考案に基づきなしうる細部の修飾或いは改変は、いずれも本考案の請求範囲に属するものとする。
【図面の簡単な説明】
【図１】周知の片面吸入式のファンの斜視図である。
【図２】周知の遠心式ファンの斜視図である。
【図３】周知の遠心式ファンの冷却状態表示図である。
【図４】本考案のコンピュータ用ファンの分解斜視図である。
【図５】本考案のコンピュータ用ファンの平面図である。
【図６】本考案のコンピュータ用ファンの冷却状態表示図である。
【図７】本考案のコンピュータ用ファンの別の実施例図である。
【図８】本考案のコンピュータ用ファンのさらに別の実施例図である。
【符号の説明】
１　コンピュータ用ファン　　　　　１０　ベース
１１　冷却ファン　　　　　　　　　１２　カバー
１３　収容溝　　　　　　　　　　　１４　出風口
１５　内羽根　　　　　　　　　　　１６　外羽根
１７　吸風口　　　　　　　　　　　１８　円形リング
【図１】
0003096854.tif 000003
【図２】
0003096854.tif 000004
【図３】
0003096854.tif 000005
【図４】
0003096854.tif 000006
【図５】
0003096854.tif 000007
【図６】
0003096854.tif 000008
【図７】
0003096854.tif 000009
【図８】
0003096854.tif 000010